(57)【要約】      （修正有）【課題】内容物の保存性に優れた２連式エアゾール容器の提供。【解決手段】内部に内筒を有する第１容器と、同様に内筒を有する第２容器とから成り、第１容器と第２容器が同時に内装され、２種類の充填物を同時に抽出させる排出口を持つことを特徴とする２連式エアゾール容器において、第１容器及び第２容器の内面にポリアミドイミド樹脂塗料を塗装したことを特徴とする２連式エアゾール容器。【選択図】図１
0003107797.tif 000002
【実用新案登録請求の範囲】
【請求項１】
内部に内筒を有する第１容器と、同様に内筒を有する第２容器とから成り、第１容器と第２容器が同時に内装され、２種類の充填物を同時に抽出させる排出口を持つことを特徴とする２連式エアゾール容器において、第１容器及び第２容器の内面にポリアミドイミド樹脂塗料を塗装したことを特徴とする２連式エアゾール容器。
【請求項２】
内部に内筒を有する第１容器と、同様に内筒を有する第２容器とから成り、第１容器と第２容器が同時に内装され、２種類の充填物を同時に抽出させる排出口を持つことを特徴とする２連式エアゾール容器において、第１容器及び第２容器の内面にエポキシフェノール樹脂塗料を塗装したことを特徴とする２連式エアゾール容器。
【請求項３】
前記第１容器の内筒内にアルカリ性の染毛剤又は脱色剤、及び第２容器の内筒内に酸性の染毛剤又は脱色剤を充填したことを特徴とする、請求項１又は２記載の２連式エアゾール容器。
【考案の詳細な説明】
【技術分野】
【０００１】
この考案は、内筒を有する２連式エアゾール容器に関し、さらに詳しくは内容物の保存性に優れた２連式エアゾール容器に関する。
【背景技術】
【０００２】
従来、染毛剤容器は、通常染毛剤１剤と染毛剤２剤が、各々別のエアゾール容器である第１容器及び第２容器に収納され、対になってセットとして販売されている。染毛１剤はアルカリ性の酸化染料であり、染毛２剤は染毛１剤の染料を酸化重合させる目的をもった、酸性の過酸化水素を含有する内容物である。このような従来の容器として、図７に示すような２連式エアゾール容器５０がある。２連式エアゾール容器５０は、内筒５２を有する第１容器５１と、内筒５５を有する第２容器５４とが連結され、一体容器として構成されている。そして、第１容器及び第２容器の内面には、内筒５２及び内筒５５が破損して、内容物が漏洩しても、第１容器５１及び第２容器５４の金属表面が、内容物によって腐食しないように保護するため、アルカリ性の染毛１剤と酸性の染毛２剤に、各々対応できる内面塗料が塗装されている。このような２連式エアゾール容器５０は、頭髪に均一に塗布でき、かつ頭皮を染着せずに染毛することができ、使用時に垂れ落ちて地肌や衣服を汚染することもなく、手指も汚すことなく簡便に使用できる。また、必要な量だけ使用でき、使用しないときは、空気から遮断されるため、充填物の保存性にも優れている。
【０００３】
従来の２連式エアゾール容器５０の構造を図７及び図８（Ａ）（Ｂ）に基づいて説明すると、第１容器５１内には、内筒５２及びバルブ５３が挿入又は装着されている。他方第２容器５４内には、内筒５５及びバルブ５６が挿入又は装着されている。そして、第１容器５１と第２容器５４とは、カバーキャップ５７により連結され、このカバーキャップ５７には、充填された両方の内容物を、混合して噴出するための共通孔５８及び噴出口５９が設けられている。第１容器５１内には染毛剤１剤である内容物６０、第２容器５４内には染毛２剤である内容物６１が、それぞれ充填されている。図８（Ａ）は、図７のX部を拡大した場合の拡大断面図である。５１は第１容器、５２は挿入された内筒、６０は内容物。従来、第１容器５１の内面には、内面塗料として、耐アルカリ性を考慮して、エポキシフェノール樹脂、エポキシユリア樹脂又はエポキシアミノ樹脂６２が塗装されている。又図８（Ｂ）は、図７のY部を拡大した場合の拡大断面図である。５４は第２容器、５５は挿入された内筒、６１は内容物である。従来、第２容器５４の内面には、耐酸性を考慮してポリアミドイミド樹脂６３が塗装されている（特許文献１）。これは、従来強アルカリ性内容物に対して適するが、強酸性内容物に対して適さないエポキシ系内面塗料と、強酸性内容物に対して適するが、強アルカリ性内容物に対して適さないポリアミド系塗料を、各々の内面塗料の長所、短所を考慮して、第１容器５１と第２容器５４の内面塗料を使い分けたものである。
なお、内筒５２及び内筒５４は、高密度ポリエチレン、低密度ポリエチレン等のポリエチレン系の材料、エチレン−酢酸ビニル共重合体けん化物、ナイロン等の単層又はこれら２種以上の多層で構成されていた。
【特許文献１】特許第３１８８１９６号公報
【考案の開示】
【考案が解決しようとする課題】
【０００４】
しかしながら、２連式エアゾール容器５０に使用される第１容器５１、第２容器５４は、製造工程において、外観上区別し難いため、第１容器５１と第２容器５４とを取り違えて組み付けられるため、異なる内容物を充填する場合があり、このような場合には、２連式エアゾール容器５０が、アルカリ性の内容物を充填した内筒を装着した第２容器と、酸性の内容物を充填した内筒を装着した第１容器という逆の構成になり、容器の内面塗料と内容物との整合性が図れないと共に、第１容器と第２容器の管理が頗る面倒であるという欠点があった。そこで、両方の内容物のアルカリ度、酸性度が、それほど強くない場合は、第１容器５１と第２容器５４とで、別々の内面塗料を塗装する必要がなく、異なる塗料を塗装することは、逆に第１容器５１と第２容器５４の管理面で弊害が生じるという実際面を考慮し、本考案は、このような２連式エアゾール容器の第１容器と第２容器を取り違えても問題はなく、又２連式エアゾール容器の組み付け工程において、第１容器と第２容器を区別して管理する必要がない、２連式エアゾール容器の考案を提供することを目的とする。
【課題を解決するための手段】
【０００５】
請求項１記載の考案の手段は、内部に内筒を有する第１容器と、同様に内筒を有する第２容器とから成り、第１容器と第２容器が同時に内装され、２種類の充填物を同時に抽出させる排出口を持つことを特徴とする２連式エアゾール容器において、第１容器及び第２容器の内面にポリアミドイミド樹脂塗料を塗装したことを特徴とする２連式エアゾール容器である。第１容器と第２容器の内面塗料が、共にポリアミドイミド樹脂であるから、２連式エアゾール容器の組み付け工程において、第１容器と第２容器を区別して管理する必要がないと共に、万が一内筒が破損して、染毛１剤又は染毛２剤が外部に漏洩した場合でも、内面塗料であるポリアミドイミド樹脂が、第１容器又は第２容器の金属表面を保護し、腐食を防止することができる。
【０００６】
請求項２記載の考案の手段は、内部に内筒を有する第１容器と、同様に内筒を有する第２容器とから成り、第１容器と第２容器が同時に内装され、２種類の充填物を同時に抽出させる排出口を持つことを特徴とする２連式エアゾール容器において、第１容器及び第２容器の内面にエポキシフェノール樹脂塗料を塗装したことを特徴とする２連式エアゾール容器である。ポリアミドイミド樹脂は、エポキシフェノール樹脂より材料のコストが高いので、安価なエポキシフェノール樹脂を使用することで、より安価な２連式エアゾール容器を提供することができる。又第１容器と第２容器の内面塗料が、共にエポキシフェノール樹脂であるから、２連式エアゾール容器の組み付け工程において、第１容器と第２容器を区別して管理する必要がないと共に、万が一内筒が破損して、染毛１剤又は染毛２剤が外部に漏洩した場合でも、内面塗料であるエポキシフェノール樹脂が、第１容器又は第２容器の金属表面を保護し、腐食を防止することができる。
【０００７】
請求項３記載の考案の手段は、第１容器の内筒内にアルカリ性の染毛剤又は脱色剤、及び第２容器の内筒内に酸性の染毛剤又は脱色剤を充填したことを特徴とする、２連式エアゾール容器である。この考案に係る２連式エアゾール容器は、染毛剤用途に特に優れている。
【考案の効果】
【０００８】
この考案によれば、第１容器と第２容器を取り違えても問題はなくなり、又２連式エアゾール容器の製造工程（組み付け工程、内容物充填工程等）において、第１容器と第２容器を区別して管理する必要がなく、かつ１容器又は第２容器の金属表面の腐食を防止することができる効果を有する。
【考案を実施するための最良の形態】
【０００９】
以下、本考案の実施例を図面に基づいて説明する。
【実施例１】
【００１０】
図１、図３（Ａ）（Ｂ）は、本考案に係る２連式エアゾール容器１０の実施例１を示す断面図である。実施例１において、２連式エアゾール容器１０は内筒２を有する第１容器１と、内筒５を有する第２容器４とが連結され、一体容器として構成されている。そして、第１容器１内には、内筒２及びバルブ３が挿入、装着されている。他方第２容器４内には、内筒５及びバルブ６が挿入、装着されている。そして、第１容器１と第２容器４とは、カバーキャップ７により連結され、このカバーキャップ７には、充填された両方の内容物２ａ、５ａを、混合して噴出するための共通孔８及び噴出口９が設けられている。内筒２内には、染毛１剤としてアルカリ性の酸化染料である内容物２ａが充填され、内筒５内には、染毛２剤である酸性の過酸化水素を含有する内容物５ａが充填されている。そして、この考案の特徴は、図１のＡ部及びＢ部の拡大断面図である図３（Ａ）（Ｂ）に示すように、第１容器１の内面及び第２容器４の内面塗料が、共にポリアミドイミド樹脂１ａ、４ａである。なお、実施例１では、図１に示すように、内筒２及び内筒５の底面が、第１容器１及び第２容器４の底部内面に当接されている。
【００１１】
内筒２及び内筒５は、例えば、高密度ポリエチレン、低密度ポリエチレン、直鎖状低密度ポリエチレン、メタロセン系直鎖状低密度ポリエチレン等のポリエチレン系材料、エチレン−酢酸ビニル共重合体けん化物、ポリアクリルニトリル、ポリエチレンテレフタレート、ポリプロピレン、ナイロン等の単層又はこれら２種以上の樹脂で構成される多層の素材で構成されている。第１容器及び第２容器の内面塗料であるポリアミドイミド樹脂１ａ、４ａは、内容物２ａのｐＨが７〜９の範囲にあるアルカリ性の酸化染料及びｐＨが３〜７の範囲にある酸性の過酸化水素を含有する内容物に対して対応することができ、万が一内筒２、５が破損して、内容物２ａ、５ａが漏洩しても、第１容器１及び第２容器４の金属表面を保護することができる。なお、内筒と第１容器１及び第２容器４の間には、窒素、炭酸ガス等のプロペラントが充填される。内容物が強アルカリ性でなければ、第１容器１及び第２容器４共に、内面塗料をポリアミドイミド樹脂１ａ、４ａを用いることで、容器の管理がスムーズになる。
【実施例２】
【００１２】
図２、図３（Ａ）（Ｂ）は、本考案に係る２連式エアゾール容器２０の実地例２を示す断面図である。実施例２は、内筒１２及び内筒１５は、第１容器１１及び第２容器１４内に各々懸吊されると共に、第１容器１１の内面及び第２容器１４の内面塗料が、共にポリアミドイミド樹脂１１ａ、１４ａが塗装されている実施例である。同様に、内筒１２内には、１剤としてアルカリ性の酸化染料である内容物１２ａが充填され、内筒１５内には、２剤である酸性の過酸化水素を含有する内容物１５ａが充填されている。その他、２連式エアゾール容器２０は、内筒１２を有する第１容器１１と、内筒１５を有する第２容器１４とが連結され、一体容器として構成され、第１容器１１内には、バルブ１３が装着され、第２容器１４内には、バルブ１６が装着され、第１容器１１と第２容器１４とは、共通孔１８及び噴出口１９を有するカバーキャップ１７により連結されている点は、実施例１と同様である。
【実施例３】
【００１３】
実施例３は、図１及び図４（Ａ）（Ｂ）、すなわち、図１のＡ部及びＢ部の拡大断面図である図４（Ａ）（Ｂ）に示すように、内筒２及び内筒５の底面が、第１容器１及び第２容器４の底部に当接されていると共に、第１容器１及び第２容器４の内面塗料が、共にエポキシフェノール樹脂１ｂ、４ｂが塗装された実施例である。第１容器及び第２容器の内面塗料であるエポキシフェノール樹脂は、内容物２ａのｐＨが７〜１１の範囲にあるアルカリ性の酸化染料及びｐＨが４．５〜７の範囲にある酸性の過酸化水素を含有する内容物５ａに対して対応することができ、万が一内筒２、５が破損して、内容物２ａ、５ａが漏洩しても、第１容器１及び第２容器４の金属表面を保護することができる。内容物が強酸性でなければ、第１容器１及び第２容器４共に、内面塗料をエポキシフェノール樹脂１ｂ、４ｂを用いることで、容器の管理がスムーズになる。
【実施例４】
【００１４】
実施例４は、図２及び図４（Ａ）（Ｂ）、すなわち、図２のＡ部及びＢ部の拡大断面図である図４（Ａ）（Ｂ）に示すように、内筒１２及び内筒１５が、第１容器１１及び第２容器１４内に各々懸吊されていると共に、第１容器１１及び第２容器１４の内面塗料が、共にエポキシフェノール樹脂１１ｂ、１４ｂが塗装された実施例である。同様に、内筒１２内には、１剤としてアルカリ性の酸化染料でる内容物１２ａが充填され、内筒１５内には、２剤である酸性の過酸化水素を含有する内容物１５ａが充填されている。その他、２連式エアゾール容器２０は、内筒１２を有する第１容器１１と、内筒１５を有する第２容器１４とが連結され、一体容器として構成され、第１容器１１内には、バルブ１３が装着され、第２容器１４内には、バルブ１６が装着され、第１容器１１と第２容器１４とは、共通孔１８及び噴出口１９を有するカバーキャップ１７により連結されている点は、実施例３と同様である。
【実施例５】
【００１５】
実施例５は、図５及び図６（Ａ）（Ｂ）、すなわち、図５のＡ部及びＢ部の拡大断面図である図６（Ａ）（Ｂ）に示すように、内筒３２及び内筒３５が、第１容器３１及び第２容器３４の内周面に密着して装着されている、所謂、高耐食性エアゾール容器（ＨＩＣＲ容器）であり、第１容器３１及び第２容器３４の内面塗料として、共にポリアミドイミド樹脂３１ａ、３４ａが塗装された実施例である。実施例６として、第１容器３１及び第２容器３４の内面塗料が、共にエポキシフェノール樹脂３１ｂ、３４ｂが塗装されてもよい。内筒３２、３５の材質は、高密度ポリエチレン、低密度ポリエチレン、直鎖状低密度ポリエチレン、メタロセン系直鎖状低密度ポリエチレン等のポリエチレン系材料、エチレン−酢酸ビニル共重合体けん化物、ポリアクリルニトリル、ポリエチレンテレフタレート、ポリプロピレン、ナイロン等の単層又はこれら２種以上の多層で構成されている。その他、２連式エアゾール容器３０は、内筒３２を有する第１容器３１と、内筒３５を有する第２容器３４とが連結され、一体容器として構成され、第１容器３１内には、バルブ３３が装着され、第２容器３４内には、バルブ３６が装着され、第１容器３１と第２容器３４とは、共通の噴出口３９を有するカバーキャップ３７により連結されている点は、実施例１と同様である。
【００１６】
カバーキャップのレバーの押し下げ操作を行うと、第１容器と、第２容器の各ステムに均等に力が加わり、第１容器と、第２容器の内圧を同一にすることにより、各々に充填された染毛剤または脱色剤の第１剤と同第２剤を、１：１の割合で均等に噴出させることができるため、結果として染毛剤または脱色剤の第１剤と同第２剤を同量吐出することができる。すなわち、同量の内容物が、カバーキャップ内に取り出され、混合して噴出口から外に噴出される。必要な量だけの内容物が噴出された後は、レバーの押圧を止めると、バルブが遮断され、各容器からの内容物の噴出が止まる。噴出された内容物は、ブラシ等の上に置かれ、ブラシで頭髪へ塗布することにより、頭髪を染めることができる。
【産業上の利用可能性】
【００１７】
本考案の活用例として、カバーキャップのレバーを指で押し下げるだけで、染毛剤または脱色剤の１剤及び同２剤の混合操作と、塗布部への染毛剤または脱色剤の供給を、同時に行なうことができ、直接的に、塗布部へ染毛剤または脱色剤を供給することができるため、簡便な染毛用具ととして広く利用できる。又内容物として、上記染毛剤の他、薬剤、食品等も収納して、他の分野にも広く利用することができる。
【図面の簡単な説明】
【００１８】
【図１】この考案に係る２連式エアゾール容器の実施例１又は実施例３を示す断面図。
【図２】この考案に係る２連式エアゾール容器の実施例２又は実施例４を示す断面図。
【図３】図１又は図２のＡ部及びＢ部の実施例１又は実施例２を表す、各々の拡大断面図（Ａ）（Ｂ）。
【図４】図１又は図２のＡ部及びＢ部の実施例３又は実施例４を表す、各々の拡大断面図（Ａ）（Ｂ）。
【図５】この考案に係る２連式エアゾール容器の実施例５を示す断面図。
【図６】図５のＡ部及びＢ部の実施例５又は実施例６を表す、各々の拡大断面図（Ａ）（Ｂ）。
【図７】従来の２連式エアゾール容器の実施例を示す断面図。
【図８】図７のＸ部及びＹ部の各々の拡大断面図（Ａ）（Ｂ）。
【符号の説明】
【００１９】
１  １１  ３１  第１容器
１ａ  １１ａ  ４ａ  １４ａ  ３１ａ  ポリアミドイミド樹脂
１ｂ  １１ｂ  ４ｂ  １４ｂ  ３１ｂ  エポキシフェノール樹脂
２  ５  １２  １５  ３２  ３５  内筒
４  １４  ３４  第２容器
９、１９  ３９  噴出口
１０  ２０  ３０  ２連式エアゾール容器
【図１】
0003107797.tif 000003
【図２】
0003107797.tif 000004
【図３】
0003107797.tif 000005
【図４】
0003107797.tif 000006
【図５】
0003107797.tif 000007
【図６】
0003107797.tif 000008
【図７】
0003107797.tif 000009
【図８】
0003107797.tif 000010